(57)【要約】【課題】除塵能力の低下を長期に渡って防止できる除塵装置を提供する。【解決手段】本発明の除塵装置は、無端状のキャリングチェーンに塵芥捕集用スクリーンを備えた網枠を接合し、前記キャリングチェーンを上下部スプロケットホイールで駆動する除塵装置において、  前記塵芥捕集用スクリーン１０は、水路幅方向の中心付近に長手方向を水平方向とし所定間隔で配置したスリット部２０を備え、前記スリット部２０は、捕集面を上流側に向けて突出させたことを特徴とする。【選択図】    図１
2020026622.tif 000002
【特許請求の範囲】
【請求項１】
無端状のキャリングチェーンに塵芥捕集用スクリーンを備えた網枠を接合し、前記キャリングチェーンを上下部スプロケットホイールで駆動する除塵装置において、
前記塵芥捕集用スクリーンは、水路幅方向の中心付近に長手方向を水平方向とし所定間隔で配置したスリット部を備え、前記スリット部は、捕集面を上流側に向けて突出させたことを特徴とする除塵装置。
【請求項２】
請求項１に記載の除塵装置において、
前記塵芥捕集用スクリーンは、前記水路幅方向の両端部に前記スリット部と接続したメッシュ部を備えたことを特徴とする除塵装置。
【請求項３】
請求項１又は２に記載の除塵装置において、
前記スリット部は、断面形状が上流側から下流側に向けて先細りとなるクサビ状又は翼型に形成したことを特徴とする除塵装置。
【請求項４】
請求項１ないし３のいずれか１に記載の除塵装置において、
前記塵芥捕集用スクリーンで捕集した塵芥を洗浄する洗浄手段を備え、
前記洗浄手段は、前記スリット部よりも前記メッシュ部の洗浄水量又は／及び水圧を高くしたことを特徴とする除塵装置。
【発明の詳細な説明】
【技術分野】
【０００１】
本発明は、火力発電所などの発電プラントで利用される冷却水の取水路中から塵芥などを捕集する回転式網枠を備えた除塵装置に関する。
【背景技術】
【０００２】
発電所などのプラント設備の工業用水利用先において、冷却水や工業用水を取水するための水路に除塵装置が設置されている。この除塵装置は海、河川、池などの取水口に流入するくらげや塵芥などの異物を取り除くために機能している。簡易な除塵装置は、スクリーンや金網を水の流れ方向に対して垂直方向あるいは所定角度の傾斜を付けて設置されている。この他、取水量の多い発電所等では、回転式網枠のスクリーンを周回転させて連続的に塵芥を絡め捕ることでスクリーンが目詰まりすることなく除塵できる構造を採用している。
【０００３】
図５は従来の除塵装置の斜視図である。図示のように除塵装置１は、水路を横切るように設けた左右（幅方向ともいう）一対のキャリングチェーン２と、キャリングチェーン２を回動させる上部及び下部スプロケットホイール３Ｂ（上部スプロケットホイールは不図示）と、キャリングチェーン２のリンク毎に水流方向に対して垂直又は所定角度に傾斜させたスクリーンを有する網枠４を備えている。
【０００４】
ここで一般の除塵装置の多くは、流水圧によりスクリーンや金網へ塵芥等が押し付けられていくと、スクリーンや金網の目に塵芥等が詰まることで通水面積が減少し、塵芥回収能力が低下する問題があった。そのため、洗浄水を加圧してスクリーンや金網にスプレーすることで塵芥等を除去している。
また塵芥等は、水路幅に対して全幅に渡って広がって流れており、流速や塵芥の種類、量によってはスクリーンや金網上に偏って集積されることがある。例えば、水路の中央部は水の流れが速いため塵芥等が溜まり易い箇所となる。
しかしながら、洗浄のスプレーノズルは同一サイズのものを等間隔で設置しており、一定の圧力でスプレー噴射を行っているため、集積した塵芥量の偏りによっては洗浄の効果にばらつきが生じていた。このような洗浄不良は、除塵装置の塵芥回収能力を低下させていた。
【０００５】
特許文献１に開示の防塵設備は、上下可動堰を水路に対して水路中央部から下流方向に左右斜めに連続して複数配置し、上下可動堰の前面に塵芥を捕集するスクリーンを近接して配置している。このような構成により、部分的に水路を閉止してスクリーン近傍の流れ方向を変化させて水路の中下層を流下してスクリーンに捕捉された塵芥を除去し水流の方向へ押し流している。
【０００６】
しかしながら、スクリーンで捕捉した塵芥を流す際には、可動堰で水の流れを閉止したり、可動堰を稼働させるまではスクリーンの目詰まり状態が継続されたりして取水量の変動が大きくなり安定しない。また塵芥を除去する時間が長くなり取水効率が悪い。
【先行技術文献】
【特許文献】
【０００７】
【特許文献１】実開平１１−１３１４５０号公報
【発明の概要】
【発明が解決しようとする課題】
【０００８】
上記従来技術の問題点に鑑み、本発明は、除塵能力の低下を長期に渡って防止できる除塵装置を提供することにある。また本発明は、効率良いスクリーン洗浄が実現できる除塵装置を提供することにある。
【課題を解決するための手段】
【０００９】
本発明は、上記課題を解決するための第１の手段として、無端状のキャリングチェーンに塵芥捕集用スクリーンを備えた網枠を接合し、前記キャリングチェーンを上下部スプロケットホイールで駆動する除塵装置において、
前記塵芥捕集用スクリーンは、水路幅方向の中心付近に長手方向を水平方向とし所定間隔で配置したスリット部を備え、前記スリット部は、捕集面を上流側に向けて突出させたことを特徴とする除塵装置を提供することにある。
上記第１の手段によれば、スクリーンの中央に塵芥が溜まり難くなって、十分な流水通路を確保でき、除塵装置に対する負荷や摩擦を軽減できる。
また上流側に突き出たスクリーンによって通水面積が増大して、装置全体の処理能力を向上できる。
【００１０】
本発明は、上記課題を解決するための第２の手段として、第１の手段において、前記塵芥捕集用スクリーンは、前記水路幅方向の両端部に前記スリット部と接続したメッシュ部を備えたことを特徴とする除塵装置を提供することにある。
上記第２の手段によれば、塵芥の捕集能力が高まり、スクリーンの両端（水路の両端）部から容易に洗浄廃棄できる。
【００１１】
本発明は、上記課題を解決するための第３の手段として、第１又は第２の手段において、前記スリット部は、断面形状が上流側から下流側に向けて先細りとなるクサビ状又は翼型に形成したことを特徴とする除塵装置を提供することにある。
上記第３の手段によれば、水流に対するスクリーンの流水抵抗を軽減できる。また上流側の表面に接した塵芥等を容易に水路の端部側へ流すと共に、下流側の裏面の開口面積が大きく（上流側の表面と比べて）流水通路を確保でき、取水能力を向上できる。
【００１２】
本発明は、上記課題を解決するための第４の手段として、第１ないし３のいずれか１の手段において、前記塵芥捕集用スクリーンで捕集した塵芥を洗浄する洗浄手段を備え、
前記洗浄手段は、前記スリット部よりも前記メッシュ部の洗浄水量又は／及び水圧を高くしたことを特徴とする除塵装置を提供することにある。
上記第４の手段によれば、スクリーン中央部の洗浄水量を削減できる。またスクリーン中央部の洗浄ノズルの設置数を削減又は削除することもできる。
【発明の効果】
【００１３】
本発明によれば、水流によってスクリーン中央部の塵芥を水路の両端側へ滑らせて集まるようにしているため、スクリーン中央部の目詰まりを低減できると共に、十分な通水面積を確保して、装置全体の処理能力を向上でき、かつ除塵能力の低下を防止できる。また効率良いスクリーン洗浄を実現できる。
【図面の簡単な説明】
【００１４】
【図１】塵芥捕集用スクリーンの平面図である。
【図２】塵芥捕集用スクリーンの斜視図である。
【図３】スリット部の一部を拡大した断面斜視図である。
【図４】洗浄手段の説明図である。
【図５】除塵装置の斜視図である。
【発明を実施するための形態】
【００１５】
本発明の除塵装置を添付の図面を参照しながら、以下詳細に説明する。
［除塵装置］
図１は塵芥捕集用スクリーンの平面図である。図２は塵芥捕集用スクリーン（上流側から見た左半分）の斜視図である。図３はスリット部の一部を拡大した断面斜視図である。図示のように本発明の除塵装置の塵芥捕集用スクリーン１０は、スリット部２０とメッシュ部３０を備えている。
【００１６】
［スリット部２０］
スリット部２０は、バーの長手方向を水平方向に沿って上下方向に複数並べて設けている。各バーは（上下方向に）所定間隔を開けて設けている。
そしてスリット部２０は、塵芥捕集用スクリーンの中心付近で中心を上流側に突出させて、左右対称に角度を付けて平面視で凸状（山形状）に形成している（図１，２参照）。
またスリット部２０は、断面形状が上流側の表面から下流側の裏面に向けて先細りとなるクサビ状（逆三角形状）又は翼型（翼の断面形状）に形成している（図３参照）。
このようなスリット部２０は、一例としてウェッジワイヤのスクリーン、スリット式のスクリーンプレートを適用することができる。
このようなスリット部の形状の作用により、塵芥はスリット部２０のバーに絡みにくく、流水抵抗を低減できる。また上流側の表面に接した塵芥等を容易に水路の端部側へ流すと共に、下流側の裏面の開口面積が大きく（上流側の表面と比べて）流水通路を確保でき、取水能力を向上できる。
【００１７】
［メッシュ部３０］
メッシュ部３０は、塵芥捕集用スクリーン１０の両端部に設けている。メッシュ部３０は、一例として、スリット式のスクリーンプレートよりも通水面積を広く確保できる平網を適用することができ、水流方向に対して主面を垂直に配置している。
このような構成により、スクリーン全体の塵芥を両端部のメッシュ部３０で集積できる。
なおメッシュ部３０は、平網の他、スリット部２０と同種のスクリーンを適用しても良い。
【００１８】
［洗浄手段４０］
図４は洗浄手段の説明図である。洗浄手段４０は、除塵装置のケーシング内部（塵芥捕集用スクリーン１０の裏面）からスクリーンに向けて洗浄水を加圧してスプレー噴射している。
前述のように流速や塵芥の種類、量によって塵芥はスクリーンや金網上に偏って集積される。このため、スクリーンの位置によって洗浄水量、水圧を調整している。この調整方法は、噴射ノズルのサイズ、数等を変えることによって実現できる。本実施形態では、スクリーンの中心付近よりも両端部の塵芥量が多い。従ってスリット部２０（スクリーンの中心付近）は噴射ノズルの設置数を減らす、又は削除し、両端部は通常（従来と同様）の設置数に設定している。
具体的な洗浄手段４０の構成は、塵芥捕集用スクリーン１０の長手方向に沿って所定間隔を開けてあり、スリット部２０よりもメッシュ部３０の洗浄水量又は／及び水圧を高く設定している。これにより装置全体の噴射ノズルの設置数を削減でき、かつ散水量も低減できる。
【００１９】
［作用］
上記構成による本発明の除塵装置の作用について以下説明する。
本発明の塵芥捕集用スクリーン１０は、スクリーンの中央部に上流側に突き出るスリット部２０を設けて、これを間に挟むようにスクリーンの両端部にメッシュ部３０を設けている。水流によって塵芥がスリット部２０に接触すると表面を滑って両端部のメッシュ部３０へと向けて流されて集積できる。洗浄手段４０は、両端部のメッシュ部３０への散水量又は／及び水圧をスリット部２０よりも高く設定しており、効率的にメッシュ部３０から塵芥を剥離（落下）させることができる。
【００２０】
このような本発明の除塵装置によれば、水流によってスクリーン中央部の塵芥を水路の両端側へ滑らせて集まるようにしているため、スクリーン中央部の目詰まりを低減できると共に、十分な通水面積を確保して、装置全体の処理能力を向上でき、かつ除塵能力の低下を防止できる。またスクリーンの設置構造により塵芥の流れをコントロールでき、塵芥を水路の幅方向の両端部に集めることができる。従って冷却用水に十分な通水面積を確保できると共に、スクリーンの洗浄効率も向上して目詰まりを削減できる。
【産業上の利用可能性】
【００２１】
本発明は、プラントなどの取水設備における塵芥を捕集する回転式網枠を備えた除塵装置として特に有用である。
【符号の説明】
【００２２】
１  除塵装置
２  キャリングチェーン
３Ｂ  下部スプロケットホイール
４  網枠
１０  塵芥捕集用スクリーン
２０  スリット部
３０  メッシュ部
４０  洗浄手段
【図１】
2020026622.tif 000003
【図２】
2020026622.tif 000004
【図３】
2020026622.tif 000005
【図４】
2020026622.tif 000006
【図５】
2020026622.tif 000007